(57)【特許請求の範囲】
【請求項１】
眼鏡に取り付けられる映像表示装置であって、
映像を表示する表示部と、
前記表示部が表示した映像の虚像を観察者に提供する接眼光学系と、
前記接眼光学系を固定する固定部材と、
前記固定部材に固定され眼鏡に係止される装着部と、
前記固定部材に取り付けられ装置全体の重心を眼鏡の鼻当てよりも後方に位置させるバランサと
を備えることを特徴とする映像表示装置。
【請求項２】
眼鏡に取り付けられる映像表示装置であって、
使用者の一方の眼側のみに設けられて、映像を表示する表示部と、
使用者の一方の眼側のみに設けられて、前記表示部が表示した映像の虚像を観察者の一方の眼に提供する接眼光学系と、
前記接眼光学系を固定する固定部材と、
前記固定部材に固定され眼鏡に係止される装着部と、
前記固定部材に取り付けられ装置の左右方向の重心を装置の略中心に位置させるバランサと
を備えることを特徴とする映像表示装置。
【請求項３】
前記バランサは、装置全体の重心を眼鏡の鼻当てよりも後方に位置させることを特徴とする請求項２に記載の映像表示装置。
【請求項４】
前記バランサは、前記固定部材にヒンジを介して取り付けられることを特徴とする請求項１から請求項３のいずれか１項に記載の映像表示装置。
【請求項５】
前記バランサは、前記固定部材の両側にそれぞれ取り付けられ使用者の左右の側頭部に互いに略平行に配置されることを特徴とする請求項１から請求項４のいずれか１項に記載の映像表示装置。
【請求項６】
前記バランサは、使用者の左右の側頭部に当接し前記装着部とともに装置を支持することを特徴とする請求項１から請求項５のいずれか１項に記載の映像表示装置。
【請求項７】
前記表示部に接続されるコードが前記バランサに取り付けられることを特徴とする請求項１から請求項６のいずれか１項に記載の映像表示装置。
【発明の詳細な説明】
【技術分野】
【０００１】
本発明は、使用者の眼鏡に取り付けられて眼前にて使用される映像表示装置に関する。
【背景技術】
【０００２】
使用者の眼鏡に取り付けられて、眼前にて映像を提供する映像表示装置が提案されている。このような映像表示装置は、映像を表示する表示部と、表示部からの光を眼に導いて映像の虚像を提供する接眼光学系とを備えるのが一般的であり、接眼光学系によって拡大虚像を提供することで、眼鏡に取り付けるのに適するように小型軽量化が図られている。
【０００３】
眼鏡に取り付けるための構成にはいくつの提案がある。例えば、特許文献１では、表示部を駆動する駆動部を眼鏡のつるに取り付けるとともに、表示部および接眼光学系をアームによって駆動部で支持して眼前に位置させる構成が示されている。また、特許文献２では、表示部および駆動部を眼鏡のつるに取り付けるとともに、接眼光学系を表示部に固定して眼前に位置させる構成が示されている。
【０００４】
また、特許文献３では、表示部と接眼光学系が眼前に位置するように、装置全体を眼鏡のつるからレンズにわたって取り付けるようにしている。さらに、特許文献４では、眼鏡のレンズの下部を前後から挟んで、接眼光学系が眼前に位置し、表示部がその下方に位置する構成が示されている。
【特許文献１】米国特許第４７５３５１４号明細書
【特許文献２】米国特許第６０２３３７２号明細書
【特許文献３】特開平４−２３５８０号公報
【特許文献４】特開２０００−１１２３９６号公報
【発明の開示】
【発明が解決しようとする課題】
【０００５】
いずれの映像表示装置においても、装置の光学瞳と使用者の眼の位置が左右方向および上下方向に一致していなければ、使用者が観察する映像に欠けが生じる。
【０００６】
ところが、特許文献１、特許文献２、および特許文献３の構成では、表示部と接眼光学系の位置を左右方向や上下方向に移動させることができないため、使用者の眼に対する装置の光学瞳の位置にずれが生じ易い。しかも、装置が取り付けられる眼鏡のつるから接眼光学系を配置すべき眼の直前の位置までにはかなりの距離があり、使用者（の眼鏡）ごとに大きく相違する。このため、光学瞳をきわめて大きくしなければ、多くの使用者に適合する装置とすることはできない。
【０００７】
しかし、光学瞳を大きくしようとすると、接眼光学系が大型化し、装置全体としても大型化、重量化することになる。これは、眼鏡に取り付けて使用する態様には好ましくない。
【０００８】
一方、特許文献４の構成では、観察者の眼の位置に対する装置の光学瞳の位置を調整することが可能である。しかしながら、眼鏡のレンズの大きさは様々であり、上下方向に大きいレンズと小さいレンズのいずれに対しても、接眼光学系が眼の直前に位置するように調整し得るようにすることは難しい。したがって、やはり光学瞳を大きくする必要があり、装置の大型化、重量化を招く。
【０００９】
また、従来の映像表示装置は、重量のバランスについては特に考慮されていない。このため、装置を取り付けた眼鏡のバランスが悪く、快適に使用できない上に、光学瞳と使用者の眼の相対位置がずれ易い。
【００１０】
本発明は、このような問題点に鑑みてなされたもので、眼鏡に取り付けられる映像表示装置であって、使用者の眼に対する位置の調節が容易な、したがって、光学瞳をあまり大きくする必要がなく小型軽量化の容易なものを提供することを目的とする。また、重量バランスがよく、長時間使用するときでも使用者に不快感を与え難く、使用者の眼に対する光学瞳のずれの少ない映像表示装置を提供することを目的とする。
【課題を解決するための手段】
【００１１】
上記目的を達成するために、本発明では、眼鏡に取り付けられる映像表示装置は、映像を表示する表示部と、前記表示部が表示した映像の虚像を観察者に提供する接眼光学系と、前記接眼光学系を固定する固定部材と、前記固定部材に固定され眼鏡に係止される装着部と、前記固定部材に取り付けられ装置全体の重心を眼鏡の鼻当てよりも後方に位置させるバランサとを備える構成とする。
【００１２】
一般に眼鏡は、レンズを有するフロント部が重いため、バランスが悪く動き易い。これに映像表示装置を取り付けると、その接眼光学系はフロント部近傍に位置することになるため、バランスがさらに悪いなり易い。しかし、装置にバランサを備えて、装置全体の重心を鼻当てよりも後方に位置させることで、バランスが悪化するの防止したり、逆にバランスを改善したりすることができる。
【００１３】
本発明ではまた、眼鏡に取り付けられる映像表示装置は、使用者の一方の眼側のみに設けられて、映像を表示する表示部と、使用者の一方の眼側のみに設けられて、前記表示部が表示した映像の虚像を観察者の一方の眼に提供する接眼光学系と、前記接眼光学系を固定する固定部材と、前記固定部材に固定され眼鏡に係止される装着部と、前記固定部材に取り付けられ装置の左右方向の重心を装置の略中心に位置させるバランサとを備える構成とする。また、本発明は、上記の構成の映像表示装置において、前記バランサは、装置全体の重心を眼鏡の鼻当てよりも後方に位置させることを特徴とする。また、本発明は、上記の構成の映像表示装置において、前記バランサは、前記固定部材にヒンジを介して取り付けられることを特徴とする。また、本発明は、上記の構成の映像表示装置において、前記バランサは、前記固定部材の両側にそれぞれ取り付けられ使用者の左右の側頭部に互いに略平行に配置されることを特徴とする。また、本発明は、上記の構成の映像表示装置において、前記バランサは、使用者の左右の側頭部に当接し前記装着部とともに装置を支持することを特徴とする。また、本発明は、上記の構成の映像表示装置において、前記表示部に接続されるコードが前記バランサに取り付けられることを特徴とする。本発明ではまた、眼鏡に取り付けられる映像表示装置は、映像を表示する表示部と、表示部が表示した映像の虚像を観察者に提供する接眼光学系と、眼鏡に係止される装着部と、上下方向から挟む力を加えられて装着部の係止を解除する操作部とを備える構成とする。
【００１４】
この映像表示装置は、使用者が操作部を上下方向から挟むだけで、眼鏡から取り外すことができる。逆に、操作部を挟んだ状態で装着部を眼鏡の係止部位に位置させて、操作部を挟むのを止めるだけで、眼鏡に取り付けることが可能である。したがって、眼鏡への着脱がきわめて容易であり、使用者は眼鏡を装着したままで、しかも片手で、外したり取り付けたりすることができる。
【００１５】
本発明ではさらにまた、眼鏡に取り付けられる映像表示装置は、映像を表示する表示部と、表示部が表示した映像の虚像を観察者に提供する体積位相型ホログラムより成る接眼光学系と、表示部からの光を内部で反射して接眼光学系に導く透明な導光部と、眼鏡に係止される装着部とを備える構成とする。
【００１６】
体積位相型ホログラムは、接眼光学系としての機能を有しながら、外界からの光を透過させることが可能であり、したがって、この映像表示装置は、表示部が表示した映像の虚像を外界の像に重ねて提供することができる。しかも、表示部から接眼光学系に映像を表す光を導く導光部も透明であって、外界からの光を透過させることができるため、外界の像を全く欠けがない状態で提供することが可能である。さらに、接眼光学系と導光部を薄くすることが可能であり、前後方向に薄く軽量な、眼鏡に取り付けて使用するのに適する形態の装置となる。
【００１７】
上記の各映像表示装置は、左右方向および上下方向の少なくとも一方について、眼鏡における装着部の係止位置に自由度がある構成とするのが好ましい。このようにすると、装着部を係止する位置を変化させることで使用者の眼に対する光学瞳の位置を調整することが可能になり、光学瞳を大きくすることなく、多くの使用者が利用できる装置となる。
【発明の効果】
【００１８】
眼鏡に取り付けられる映像表示装置を、本発明のように、映像を表示する表示部と、表示部が表示した映像の虚像を観察者に提供する接眼光学系と、眼鏡に係止される装着部と、装置全体の重心を眼鏡の鼻当てよりも後方に位置させるバランサとを備える構成とすると、重量バランスが改善されて装置と眼鏡が安定し、快適に使用することができる。また、観察者の眼が装置の光学瞳から外れ難く、常に欠けのない映像を提供することができる。
【００１９】
また、眼鏡に取り付けられる映像表示装置を、本発明のように、映像を表示する表示部と、表示部が表示した映像の虚像を観察者に提供する接眼光学系と、眼鏡に係止される装着部と、上下方向から挟む力を加えられて装着部の係止を解除する操作部とを備える構成とすると、眼鏡への着脱がきわめて容易になる。
【００２０】
さらにまた、眼鏡に取り付けられる映像表示装置を、本発明のように、映像を表示する表示部と、表示部が表示した映像の虚像を観察者に提供する体積位相型ホログラムより成る接眼光学系と、表示部からの光を内部で反射して接眼光学系に導く透明な導光部と、眼鏡に係止される装着部とを備える構成とすると、映像を外界の像に重ねて提供することが可能であり、しかも、外界の像に欠けが生じるのを避けることができる。さらに、前後方向に薄く軽量な、眼鏡に取り付けて使用するのに適する形態の装置となる。
【００２１】
本発明の各映像表示装置を、左右方向および上下方向の少なくとも一方について、眼鏡における装着部の係止位置に自由度がある構成とすると、装着部を係止する位置を変化させることで使用者の眼に対する光学瞳の位置を調整することが可能になる。したがって、光学瞳を大きくすることなく、多くの使用者が利用できる装置となる。
【発明を実施するための最良の形態】
【００２２】
以下、本発明の実施形態について図面を参照しながら説明する。第１の実施形態の映像表示装置１を図１に示す。図１において、（ａ）は上方から見た平面図、（ｂ）は前方から見た正面図、（ｃ）は右方から見た側面図であり、部分的に透視して表している。
【００２３】
映像表示装置１は、左右１対の透明板１０Ｌ、１０Ｒ、筐体２０、装着部３０、左右１対のバランサ４０Ｌ、４０Ｒ、およびケーブル５０を備えており、使用者の眼鏡に取り付けて使用される。眼鏡に取り付けた状態の映像表示装置１を図２に示す。眼鏡８０に取り付けた状態では、透明板１０Ｌ、１０Ｒがそれぞれ眼鏡８０の左右のレンズ８１Ｌ、８１Ｒの直前に位置する。
【００２４】
筐体２０は、映像の提供に関わる光学系を収容しており、透明板１０Ｒの上縁に固定されている。装着部３０は、左右の透明板１０Ｌ、１０Ｒに固定されて両者を連結しており、また、眼鏡８０への取り付けに用いられる。映像表示装置１は、装着部３０をブリッジ８３に係止することによって眼鏡８０に取り付けられる。
【００２５】
バランサ４０Ｌ、４０Ｒは、それぞれ透明板１０Ｌ、１０Ｒに固定されており、その重量によって映像表示装置１の全体の重心を、眼鏡８０の鼻当て８６よりも後方に位置させる。バランサ４０Ｌ、４０Ｒは、透明板１０Ｌ、１０Ｒの近くにヒンジ４１を有しており、映像表示装置１は、バランサ４０Ｌ、４０Ｒが透明板１０Ｌ、１０Ｒに対して略垂直になる開いた状態と、略平行になる閉じた状態とを取ることができる。映像表示装置１は、開いた状態で眼鏡８０に取り付けられる。眼鏡８０に取り付けられた映像表示装置１は、バランサ４０Ｌ、４０Ｒが使用者の左右の側頭部に当接して、眼鏡８０のブリッジ８３と使用者の側頭部とによって支持される。
【００２６】
ケーブル５０は筐体２０に接続されており、不図示の制御部からの電力、映像信号および制御信号を、筐体２０内の表示部に供給する。なお、ケーブル５０は、保持部材５１によってバランサ４０Ｒに取り付けられており、透明板１０Ｒや筐体２０の近くでたるむことがない。
【００２７】
映像表示装置１の映像の提供に関する光学系を図３に示す。図３は、筐体２０および透明板１０Ｒの断面を表す。筐体２０には、発光ダイオード７１、凸レンズ７２、および表示部である透過型液晶表示器７３が収容されている。発光ダイオード７１は、液晶表示器７３を照明するための照明光を発する。液晶表示器７３は、ケーブルを介して与えられる映像信号に応じて、その液晶層に映像を表示し、発光ダイオード７１からの照明光を、液晶層で変調して表示した映像を表す映像光とする。レンズ７２は、発光ダイオード７１からの照明光を略平行光として液晶表示器７３に導く。
【００２８】
透明板１０Ｒの上縁部は断面をくさび状とされており、液晶表示器７３からの映像光はその端面を透過して透明板１０Ｒ内に入る。透明板１０Ｒに入った光は、対向する２つの表面で全反射されて下方に向かって進行する。透明板１０Ｒの中央部には、接眼光学系として、体積位相型のホログラム１１が設けられている。ホログラム１１は、使用者の右眼に対向する位置に、下部ほど右眼に近づくように傾斜して設けられている。
【００２９】
透明板１０Ｒ内を進行する光は、ホログラム１１によって回折反射されて、透明板１０Ｒの使用者側の表面より出射し、眼鏡８０のレンズ８１Ｒを透過して使用者の眼に達する。ホログラム１１は、使用者の右眼から数十ｃｍないし数ｍの位置に、液晶表示器７３が表示した映像の数倍の拡大虚像を提供するように設定されている。また、その光学瞳Ｐは、左右６ｍｍ、上下２ｍｍの大きさである。このように上下方向に小さな光学瞳とすることにより、透明版１０Ｒを薄く軽量にすることが可能である。
【００３０】
ホログラム１１は、映像光の波長とは異なる波長の光に対してはほとんど影響しないように設定されており、外界からの光は、ほとんど全てホログラム１１を透過して使用者の右眼に達する。したがって、映像表示装置１は液晶表示器７３に表示した映像を外界の像に重ねて提供することになる。透明板１０Ｒも外界からの光を透過させる。したがって、使用者に提供される外界の像に欠けは生じない。なお、傾斜したホログラム１１を透過する際に外界からの光に屈折が生じるが、その屈折はホログラム１１に密接する透明板１０Ｒで補正することが可能であり、したがって外界の像に歪みも生じない。
【００３１】
発光ダイオード７１としては、６３０ｎｍ、５２０ｎｍ、４６５ｎｍの波長の光を発する３種を用いている。液晶表示器７３は、映像の赤色成分、緑色成分、および青色成分を順に繰り返し表示するように制御され、発光ダイオード７１は、液晶表示器７３が表示する映像の色成分に対応する照明光を供給するように発光を制御される。すなわち、映像表示装置１は時分割表示によってカラー映像を提供する。
【００３２】
光の波長とホログラム１１の透過率および反射率との関係を図４に示す。ホログラム１１は、上記の３つの波長において反射率が最大（約１００％）になり、かつ、最大反射率の半値に対応する波長の幅が約２０ｎｍになるように設定されている。したがって、映像光は効率よく回折反射されて明るい映像が提供され、外界からの光も上記の３つの波長にごく近い波長のもの以外は透過して、自然な色合いの外界の像が提供される。なお、単一波長の光を発する１つの発光ダイオード７１のみを備えて、単色の映像を提供することも可能である。その場合も、ホログラム１１の反射率の半値幅は２０ｎｍ程度とするとよい。
【００３３】
全反射によって映像光をホログラム１１に導く透明板１０Ｒは、３ｍｍ程度あるいはそれ以下の厚さとすることが可能である。したがって、薄くかつ軽量である。
【００３４】
光学瞳Ｐの大きさは、前述のように、左右６ｍｍ、上下２ｍｍ程度としておけばよい。光学瞳Ｐがこの大きさであれば、近視や遠視を矯正するための通常の眼鏡８０のレンズ８１Ｒを介しても、映像を鮮明に観察することができる。また、光学瞳Ｐをこの程度の大きさに設定しておけば、以下に述べる装着部３０の特徴によって、欠けのない映像を様々な使用者に提供することができる。
【００３５】
装着部３０を図５に示す。図５において（ａ）は前方から見た正面図、（ｂ）は右方から見た側面断面図である。装着部３０は、弾性を有する金属を折り曲げてコイル状にしたばね部材３１と、ばね部材３１の一部を収容するとともに透明板１０Ｌ、１０Ｒを連結する筐体３２より成る。ばね部材３１は、前部３１ａのみ筐体３２に収容されており、後部３１ｂおよび前部３１ａと後部３１ｂとを連結する上部３１ｃは、筐体３２外に位置している。
【００３６】
ばね部材３１の後部３１ｂの表面は柔軟性と高い摩擦係数を有する樹脂またはゴム３５で覆われており、ばね部材３１の後部３１ｂに対向する筐体３２の後壁３２ａの外面も同様の樹脂またはゴム３６で覆われている。また、ばね部材３１の前部３１ａの下端は筐体３２内で固定されている。ただし、上部３１ｃは、前部３１ａの弾性によって前後に移動可能であり、これにより、後部３１ｂと筐体３２の距離が可変になっている。ばね部材３１の後部３１ｂの幅（左右方向の長さ）は、数ｍｍ程度であり、一般的な眼鏡８０のブリッジ８３の幅よりも小さい。また、ばね部材３１および筐体３２の高さ（上下方向の長さ）は１〜２ｃｍ程度であり、一般的な眼鏡８０のブリッジ８３の高さよりも大きい。
【００３７】
ばね部材３１の後部３１ｂの上端には操作部材３３が固定されている。操作部材３３は、剛性を有する金属または樹脂で板状に形成されており、前方に向かって上昇するように傾斜している。筐体３２を固定して操作部材３３を上方から押し下げると、上部３１ｃを介して上端が前部３１ａに連結されている後部３１ｂは、下端が筐体３２の後壁３２ａから離間する方向に傾斜する。使用者はこれを利用して映像表示装置１を眼鏡８０に取り付ける。
【００３８】
この様子を図６に示す。使用者は、矢印ＡおよびＢに示したように、操作部材３３および筐体３２を上下方向から挟んで、ばね部材３１の後部３１ｂの下端を筐体３２の後壁３２ａから大きく離間させておき、後部３１ｂと後壁３２ａの間に眼鏡８０のブリッジ８３を位置させて、操作部材３３と筐体３２を挟むのを止める。筐体３２の後壁３２ａとばね部材３１の後部３１ｂは、ブリッジ８３を前後から挟むことになり、摩擦力によってブリッジ８３に係止される。この状態を図７に示す。映像表示装置１を眼鏡８０から取り外すときは、使用者はこの逆の操作を行えばよい。
【００３９】
このように、映像表示装置１の眼鏡８０への着脱はきわめて容易であり、片手の２本の指で行うことができる。また、使用者は眼鏡８０を装着したままで、映像表示装置１を取り付けたり取り外したりすることができる。映像表示装置１はブリッジ８３の厚さ（前後方向の長さ）が異なる眼鏡８０にも取り付けることが可能である。この様子を図８に示す。図８において、太い線は薄い（例えば１．５ｍｍ）ブリッジ８３に取り付けたときのばね部材３１を、細い線は厚い（例えば４．５ｍｍ）ブリッジ８３に取り付けたときのばね部材３１を表す。
【００４０】
前述のように、ばね部材３１の後部３１ｂの幅は通常の眼鏡８０のブリッジ８３の幅よりも小さく、また、後部３１ｂの高さは眼鏡８０のブリッジ８３の高さよりも大きい。したがって、ブリッジ８３における装着部３０の係止位置には、左右方向、上下方向共に自由度があり、この自由度の範囲内で、眼鏡８０に対する映像表示装置１の相対位置を調節することができる。左右の眼の幅は使用者によって異なるが、ブリッジ８０から使用者の眼まで距離は左右の眼の幅の半分程度であって使用者によって大きく変動しないから、多くの使用者が自分の眼の直前に映像表示装置１の光学瞳Ｐを位置させることができる。
【００４１】
また、眼鏡８０のブリッジ８３の厚さによらず、眼鏡８０のレンズ８１Ｒと透明板１０Ｒの距離は略一定であり、したがって、光学瞳Ｐの前後方向の位置も略一定である。映像表示装置１では、これらの条件によって、光学瞳Ｐの大きさを左右６ｍｍ、上下２ｍｍとすることが可能になっており、装置の大型化、重量化を招く接眼光学系の大型化が避けられる。
【００４２】
映像表示装置１の重量バランスについて図９を参照して説明する。図９において、（ａ）は平面図、（ｂ）は側面図である。Ｍはケーブル５０を除く映像表示装置１の重量、Ｇはその重心、Ｍａはバランサ４０Ｌ、４０Ｒおよびケーブル５０を除いた全部位の重量、Ｇａはその重心、Ｍｂはバランサ４０Ｌ、４０Ｒのみの重量、Ｇｂはその重心を表す。また、Ｌａは重心Ｇａと重心Ｇとの前後方向の距離、Ｌｂは重心Ｇｂと重心Ｇとの前後方向の距離、ｌａは重心Ｇａと重心Ｇとの左右方向の距離、ｌｂは重心Ｇｂと重心Ｇとの左右方向の距離を表す。
【００４３】
前後方向については、式１、式２が成り立ち、式２より式３が得られる。
Ｍ＝Ｍａ＋Ｍｂ          …  式１
Ｍａ×Ｌａ＝Ｍｂ×Ｌｂ  …  式２
Ｌａ＝Ｌｂ×Ｍｂ／Ｍａ  …  式３
【００４４】
式３より、Ｌｂを大きくし、Ｍｂを大きくすれば、全体の重心Ｇが後方に移動することが判る。バランサ４０Ｌ、４０Ｒはこの働きをしており、映像表示装置１では、全体の重心Ｇを、前後方向については、眼鏡の鼻当て８６よりも後方に位置させている。これで、眼鏡８０単独の重心よりも映像表示装置１を取り付けたときの重心が前方に移動するのが防止されて、全体が安定化する。なお、バランサ４０Ｌ、４０Ｒの重量Ｍｂを大きくすると全重量Ｍが増大するので、バランサ４０Ｌ、４０Ｒを長くしてＬｂを大きくするのが好ましい。
【００４５】
左右方向については、式４、式５が成り立ち、式５より式６が得られる。
Ｍ＝Ｍａ＋Ｍｂ          …  式４
Ｍａ×ｌａ＝Ｍｂ×ｌｂ  …  式５
ｌａ＝ｌｂ×Ｍｂ／Ｍａ  …  式６
【００４６】
式６より、ｌｂを大きくし、Ｍｂを大きくすれば全体の重心Ｇが左方に移動することが判る。バランサ４０Ｌ、４０Ｒはこの働きもしており、映像表示装置１では、右の透明板１０Ｒのみに筐体２０を設けた構成でありながら、全体の重心Ｇを、左右方向については、中央付近に設定している。これで左右方向のバランスも良好に保たれ、全体の安定性がさらに増す。また、使用者の一方の耳や側頭部（ここでは右側）に重量が偏って加わるのが避けられ、快適に使用することができる。なお、左右のバランサ４０Ｌ、４０Ｒは同じ重量とすることもできるが、左のバランサ４０Ｌを右のバランサ４０よりも重くすると、両者の重量の和を一定にしながらも、重心Ｇｂを左右の中央から離す（ｌｂを大きくする）ことができて、好ましい。
【００４７】
なお、ここでは、ケーブル５０は右耳で支持することができるので、ケーブル５０の重量については考慮していないが、ケーブル５０が重い場合はその重量も考慮してバランサ４０Ｌ、４０Ｒの重量や長さを設定するとよい。また、映像信号や制御信号を無線で供給する場合は、当然ケーブルの重量を考慮する必要はなくなる。
【００４８】
第２の実施形態の映像表示装置２を図１０に示す。図１０において、（ａ）は上方から見た平面図、（ｂ）は前方から見た正面図、（ｃ）は右方から見た側面図である。映像表示装置２は、上記の映像表示装置１から、左の透明板１０Ｌとバランサ４０Ｌ、４０Ｒを省略したもであり、透明板１０Ｒには右のバランサ４０Ｒに代えて、第２の装着部６０が固定されている。眼鏡８０のブリッジに取り付けるための装着部３０や、映像を提供する光学系の構成は前述のとおりである。
【００４９】
装着部６０は、眼鏡８０のヨロイ８７Ｒ（図２参照）に係止される。装着部６０は、透明板１０Ｒに固定された固定部材６１と、固定部材６１に支持されて、左右方向（図１０（ａ）のｘ方向）と前後方向（図１０（ｃ）のｙ方向）に移動可能な移動部材６２より成る。移動部材６２は断面がＵ字状であり、眼鏡８０のヨロイ８７Ｒを前後から挟む形態で係止される。
【００５０】
固定部材６１と移動部材６２は摩擦力によって係合しており、僅かな力では両者の相対位置は変化しない。ただし、やや大きな力を加えると、移動部材６２を固定部材６１に対して、左右方向および前後方向に変位させることができる。眼鏡８０によって、レンズ８１Ｌ、８１Ｒの大きさは大きく異なり、ヨロイ８７Ｌ、８７Ｒの高さ（上下方向の長さ）や前後方向の位置も異なるが、移動部材６２を有する装着部６０は、様々な眼鏡８０に適合する。
【００５１】
映像表示装置２では、使用者の頭部を両側から挟むバランサ４０Ｌ、４０Ｒは存在しないものの、装着部３０をブリッジ８３に係止させ、装着部６０をヨロイ８７に係止させることで、眼鏡８０に安定して取り付けることができる。しかも、装着部６０は左右方向、上下方向共に移動可能であり、装着部３０も前述のように左右方向、上下方向に移動可能であるから、光学瞳Ｐの位置の調節も容易である。
【００５２】
第３の実施形態の映像表示装置３を図１１に示す。図１１において、（ａ）は上方から見た平面図、（ｂ）は前方から見た正面図、（ｃ）は右方から見た側面図である。映像表示装置３は、第１の実施形態の映像表示装置１の２つの透明板１０Ｌ、１０Ｒに相当する１つの透明板１０を備えるとともに、バランサ４０Ｌ、４０Ｒを省略したものである。透明板１０は曲面である。また、ブリッジ８３に係止する装着部３０は、透明板１０の左右中央に固定されている。
【００５３】
第４の実施形態の映像表示装置４を図１２に示す。図１２において、（ａ）は上方から見た平面図、（ｂ）は前方から見た正面図、（ｃ）は右方から見た側面図である。映像表示装置４は、上記の映像表示装置３を修飾して、装着部３０と同様の構成の装着部３０Ｌ、３０Ｒを透明板１０の左右両端に固定したものである。装着部３０Ｌ、３０Ｒは、眼鏡８０の左右のヨロイ８７Ｌ、８７Ｒに係止される。
【００５４】
映像表示装置４では、装着部３０Ｌ、３０Ｒの係止位置によって光学瞳Ｐの位置を、第１の実施形態の映像表示装置１と同様に調節することができる。しかも、眼鏡８０の両端に取り付けるため、安定性が高く、回転等が確実に防止される。
【００５５】
第５の実施形態の映像表示装置５を図１３に示す。図１３において、（ａ）は上方から見た平面図、（ｂ）は前方から見た正面図である。映像表示装置５は、第１の実施形態の映像表示装置１を修飾して、一方の透明板１０Ｌを省略し、眼鏡８０のレンズ８１Ｌの上縁に沿う形状のアーム５２によって、バランサ４０Ｌを装着部３０に連結したものである。
【００５６】
第６の実施形態の映像表示装置６を図１４に示す。図１４において、（ａ）は上方から見た平面図、（ｂ）は前方から見た正面図である。映像表示装置６は、第１の実施形態の映像表示装置１を修飾して、映像を提供するための構成を左右の透明板１０Ｌ、１０Ｒそれぞれに対して備えて、両眼に映像を提供するようにしたものである。すなわち、映像表示装置６は、前述の発光ダイオード７１、レンズ７２、および液晶表示器７３を収容した２つの筐体２０Ｌ、２０Ｒ、左右の透明板１０Ｌ、１０Ｒそれぞれの中央部に設けられ接眼光学系を成す２つのホログラム１１Ｌ、１１Ｒ、ならびに２本のケーブル５０Ｌ、５０Ｒを有する。
【００５７】
眼鏡８０のブリッジ８３に係止する装着部３０の構成は前述のとおりである。映像表示装置６においては、光学瞳Ｐの位置を左右方向に調整することはできないが、ブリッジ８３から眼までの距離の使用者ごとの差異は小さいので、第１の映像表示装置１よりも光学瞳Ｐを左右方向に少し大きくするだけで、多くの使用者に適合する装置となる。また、上下方向については、装着部３０Ｌ、３０Ｒの係止位置で光学瞳Ｐの位置を調整することが可能であるから、光学瞳Ｐを大きくする必要はない。接眼光学系として体積位相型ホログラム１１Ｌ、１１Ｒを用いるため、光学瞳Ｐを非円形にすることは容易である。
【図面の簡単な説明】
【００５８】
【図１】第１の実施形態の映像表示装置の平面図（ａ）、正面図（ｂ）、および側面図（ｃ）。
【図２】第１の実施形態の映像表示装置を眼鏡に取り付けた状態を示す平面図。
【図３】第１の実施形態の映像表示装置の筐体および透明板の縦断面図。
【図４】第１の実施形態の接眼光学系を成すホログラムの透過率および反射率と波長の関係を模式的に示す図。
【図５】第１の実施形態の映像表示装置の装着部の正面図（ａ）、および側面断面図（ｂ）。
【図６】第１の実施形態の映像表示装置を眼鏡に取り付ける際の装着部の縦断面図。
【図７】第１の実施形態の映像表示装置を眼鏡に取り付けたときの装着部の縦断面図。
【図８】第１の実施形態の映像表示装置をブリッジの厚さが異なる眼鏡に取り付けたときの装着部の縦断面図。
【図９】第１の実施形態の映像表示装置の全体および一部の重心を示す平面図（ａ）、および側面図（ｂ）。
【図１０】第２の実施形態の映像表示装置の平面図（ａ）、正面図（ｂ）、および側面図（ｃ）。
【図１１】第３の実施形態の映像表示装置の平面図（ａ）、正面図（ｂ）、および側面図（ｃ）。
【図１２】第４の実施形態の映像表示装置の平面図（ａ）、正面図（ｂ）、および側面図（ｃ）。
【図１３】第５の実施形態の映像表示装置の平面図（ａ）、および正面図（ｂ）。
【図１４】第６の実施形態の映像表示装置の平面図（ａ）、および正面図（ｂ）。
【符号の説明】
【００５９】
１、２、３、４、５、６  映像表示装置
１０、１０Ｌ、１０Ｒ  透明板
１１、１１Ｌ、１１Ｒ  体積位相型ホログラム（接眼光学系）
２０、２０Ｌ、２０Ｒ  筐体
３０、３０Ｌ、３０Ｒ  装着部
３１    ばね部材
３１ａ  ばね部材前部
３１ｂ  ばね部材後部
３１ｃ  ばね部材上部
３２    筐体
３２ａ  筐体後壁
３３    操作部材
４０Ｌ、４０Ｒ  バランサ
５０、５０Ｌ、５０Ｒ  ケーブル
６０    装着部
６１    固定部材
６２    可動部材
７１    発光ダイオード
７２    凸レンズ
７３    透過型液晶表示器（表示部）
８０    眼鏡
８１Ｌ、８１Ｒ  レンズ
８３    ブリッジ
８６    鼻当て
８７Ｌ、８７Ｒ  ヨロイ
【図１】
0004434192.tif 000002
【図２】
0004434192.tif 000003
【図３】
0004434192.tif 000004
【図４】
0004434192.tif 000005
【図５】
0004434192.tif 000006
【図６】
0004434192.tif 000007
【図７】
0004434192.tif 000008
【図８】
0004434192.tif 000009
【図９】
0004434192.tif 000010
【図１０】
0004434192.tif 000011
【図１１】
0004434192.tif 000012
【図１２】
0004434192.tif 000013
【図１３】
0004434192.tif 000014
【図１４】
0004434192.tif 000015